(57)【特許請求の範囲】
【請求項１】
周波数が第１のバンドに含まれるＲＦ信号を通過させる第１バンド用フィルタ、
前記第１バンド用フィルタの出力側に設けられ通過帯域の中心周波数を制御電圧に応じて変更されるトラッキングフィルタ、
周波数が第１のバンドとは異なる他バンドに含まれるＲＦ信号を通過させる他バンド用フィルタ、及び
トラッキングフィルタ側又は他バンド用フィルタ側を選択して検波段へ出力するバンド選択手段、
を有している放送受信機において、
前記バンド選択手段が他バンド用フィルタ側を選択している期間（以下、該期間を「他バンド選択期間」と言う。）はトラッキングフィルタの出力ＲＦ信号のレベルが所定値以下になるように前記トラッキングフィルタの制御電圧を生成するトラッキングフィルタ制御手段、
を有していることを特徴とする放送受信機。
【請求項２】
前記トラッキングフィルタの制御電圧は他バンド選択期間中、固定されていることを特徴とする請求項１記載の放送受信機。
【請求項３】
前記バンド選択手段が選択を前記トラッキングフィルタ側から前記他バンド用フィルタ側へ切替えるのに先立ち、前記トラッキングフィルタ制御手段は、前記他バンド選択期間用制御電圧を探索して、前記トラッキングフィルタの制御電圧を、探索した他バンド選択期間用制御電圧へ切替えることを特徴とする請求項１又は２記載の放送受信機。
【請求項４】
前記トラッキングフィルタ制御手段は、前記トラッキングフィルタの制御電圧を増大方向又は減少方向へ変化させつつ、前記検波段の自動利得制御部の利得を検出し、該利得の最大となったときの前記トラッキングフィルタの制御電圧を他バンド選択期間用制御電圧に設定することを特徴とする請求項３記載の放送受信機。
【請求項５】
周波数が第１のバンドに含まれるＲＦ信号を通過させる第１バンド用フィルタ、
前記第１バンド用フィルタの出力側に設けられ通過帯域の中心周波数を制御電圧に応じて変更されるトラッキングフィルタ、
周波数が第１のバンドとは異なる他バンドに含まれるＲＦ信号を通過させる他バンド用フィルタ、及び
トラッキングフィルタ側又は他バンド用フィルタ側を選択して検波段へ出力するバンド選択手段、
を有している放送受信機の制御方法において、
前記バンド選択手段が他バンド用フィルタ側を選択している期間（以下、該期間を「他バンド選択期間」と言う。）はトラッキングフィルタの出力ＲＦ信号のレベルが所定値以下になるように前記トラッキングフィルタの制御電圧を生成することを特徴とする放送受信機の制御方法。
【請求項６】
前記トラッキングフィルタの制御電圧は他バンド選択期間中、固定されていることを特徴とする請求項５記載の放送受信機の制御方法。
【請求項７】
前記バンド選択手段が選択を前記トラッキングフィルタ側から前記他バンド用フィルタ側へ切替えるのに先立ち、前記他バンド選択期間用制御電圧を探索して、前記トラッキングフィルタの制御電圧を、探索した他バンド選択期間用制御電圧へ切替えることを特徴とする請求項５又は６記載の放送受信機の制御方法。
【請求項８】
前記トラッキングフィルタの制御電圧を増大方向又は減少方向へ変化させつつ、前記検波段の自動利得制御部の利得を検出し、該利得の最大となったときの前記トラッキングフィルタの制御電圧を他バンド選択期間用制御電圧に設定することを特徴とする請求７記載の放送受信機の制御方法。
【発明の詳細な説明】
【０００１】
【発明の属する技術分野】
本発明は、例えばＤＡＢ（Ｄｉｇｉｔａｌ  Ａｕｄｉｏ  Ｂｒｏａｄｃａｓｔｉｎｇ）用カーラジオ等の放送受信機及びその制御方法に関し、詳しくは複数のバンドを切替えて各バンドの放送を受信可能にしている放送受信機及びその制御方法に関するものである。
【０００２】
【従来の技術】
図５は従来のＤＡＢ用カーラジオ７０の主要部ブロック図である。後述する本発明の実施の形態のＤＡＢ用カーラジオ１０と同一の部分は、同符号で指示して、説明は省略し、主要点についてのみ説明する。ＤＡＢのラジオ放送には、ＶＨＦ帯のバンドIIIのものと１．４ＧＨｚ近辺のＬバンドのものとがあり、ＤＡＢ用カーラジオ７０は、両バンドのラジオ放送を受信可能にしている。バンドIII用バンドフィルタ１３及びＬバンド用バンドフィルタ１４は、それぞれバンドIII及びＬバンドに対応しており、それぞれローパスフィルタ及びハイパスフィルタから構成されている。ＤＡＢ用カーラジオ７０では、選局中のラジオ放送がバンドIII及びＬバンドのいずれに属しているかにより、バンド選択スイッチ２０が、それぞれ増幅器１９側及びダウンコンバータ２１側を選択して、選択側を検波装置２９へ接続するようにしている。
【０００３】
ＤＡＢ用カーラジオ７０では、ユーザが、ＬバンドのＤＡＢを選局している期間では、トラッキングフィルタ１８の中心周波数を決める制御電圧は、管理されておらず、切替え前の、すなわち切替え前にバンドIIIのＤＡＢを選局していたときの該ＤＡＢに対応の制御電圧に放置されたままであったり、アース電圧や電源電圧にされていたりしている。
【０００４】
【発明が解決しようとする課題】
従来のＤＡＢ用カーラジオ７０では、例えば自動車が、ＬバンドのＤＡＢを聴取中に走行している地域範囲が、バンドIIIのＤＡＢ局に近く、かつ該ＤＡＢ局からの受信信号の周波数がたまたまトラッキングフィルタ１８の制御電圧に対応の中心周波数に等しくあるいは近い値であると、該ＤＡＢ局からの受信信号のレベルが増大したときには、バンド選択スイッチ２０がダウンコンバータ２１側を選択しているにもかかわらず、トラッキングフィルタ１８の増大した出力の影響がバンド選択スイッチ２０の出力側へ出現して、選択中のＬバンドのＤＡＢ局の受信信号に妨害信号として加算されることがある。そして、加算値が閾値を超えれば、ノイズとしてスピーカから出力されてしまう。
【０００５】
本発明の目的は、バンド選択手段において選択されていない方のバンドに属する放送がトラッキングフィルタの存在のためにノイズとして出力されるのを防止する放送受信機及びその制御方法を提供することである。
【０００６】
【課題を解決するための手段】
第１の発明の放送受信機は、周波数が第１のバンドに含まれるＲＦ信号を通過させる第１バンド用フィルタ、第１バンド用フィルタの出力側に設けられ通過帯域を制御電圧に応じて変更されるトラッキングフィルタ、周波数が第１のバンドとは異なる他バンドに含まれるＲＦ信号を通過させる他バンド用フィルタ、及びトラッキングフィルタ側又は他バンド用フィルタ側を選択して検波段へ出力するバンド選択手段を有している。そして、該放送受信機は、バンド選択手段が他バンド用フィルタ側を選択している期間（以下、該期間を「他バンド選択期間」と言う。）はトラッキングフィルタの出力ＲＦ信号のレベルが所定値以下になるようにトラッキングフィルタの制御電圧を制御するトラッキングフィルタ制御手段を有している。
【０００７】
放送受信機は、ラジオ放送受信機に限定されず、テレビ放送受信機であってもよいとする。放送受信機には、特に車載用放送受信機や、ＤＡＢ用ラジオ放送受信機が含まれる。バンド選択手段において切替可能なバンドは、２個に限定されず、３個以上であってもよい。そして、第１バンド用フィルタとバンド選択手段との間にはトラッキングフィルタが介在するのは必須であるが、他バンド用フィルタとバンド選択手段との間にはトラッキングフィルタが介在しても、また、介在していなくても可とする。第１バンド用フィルタ及び他バンド用フィルタは、ハイパスフィルタ、ローパスフィルタ、及びバンドパスフィルタ等の中から条件にあったものが選択される。放送受信機がＤＡＢ用ラジオ放送受信機である場合、例えば、第１のバンドはバンドIIIであり、他バンドはＬバンドである。
【０００８】
第１のバンドに属する放送を選局するときは、該放送の受信信号周波数がトラッキングフィルタの通過帯域に入るように、他バンド選択期間用制御電圧が制御される。他バンド選択期間における他バンド選択期間用制御電圧は、ユーザがあらかじめ設定しておいてもよいし、放送受信機が第１のバンドから他バンドへの切替えのつど、適切なものを探索してもよいとする。
【０００９】
他バンド選択期間、すなわち他バンドに属する放送を放送受信機が出力している期間におけるトラッキングフィルタの存在に起因してスピーカ等の放送受信機の出力手段から出力されるノイズの原因としては、トラッキングフィルタの通過帯域を決めるトラッキングフィルタの中心周波数が、第１のバンドに属する放送受信信号の周波数に一致していて、該周波数の受信信号が一時的に増大し、トラッキングフィルタから出力されるＲＦ信号のレベルが上昇して、それがバンド選択手段の出力側に出現されることがある。これに対して、この放送受信機では、他バンド選択期間、トラッキングフィルタの制御電圧は、トラッキングフィルタの出力ＲＦ信号が所定レベル以下になる制御電圧とされているので、第１のバンドに属する放送の受信信号のレベルが他バンド選択期間に増大しても、該受信信号は、トラッキングフィルタの通過帯域外であって、トラッキングフィルタの出力側へは伝達されない。結果、第１のバンドに属する放送の受信信号のレベルが他バンド選択期間に増大することに起因して放送受信機の出力中のノイズが増大するのを防止できる。
【００１０】
第２の発明の放送受信機によれば、第１の発明の放送受信機において、トラッキングフィルタの制御電圧は他バンド選択期間中、固定されている。
【００１１】
他バンド選択期間におけるトラッキングフィルタの制御電圧の固定値は、例えば、該固定値に対応のトラッキングフィルタの通過帯域には、第１のバンドに属する放送の周波数が存在しないものとなるような値である。他バンド選択期間中、トラッキングフィルタの出力ＲＦ信号のレベルが所定値以下になるトラッキングフィルタの制御電圧を定期的に又は適宜に探索して、該探索した制御電圧へトラッキングフィルタの制御電圧を変更制御する方法もあるが、トラッキングフィルタの制御電圧を固定値にすることにより、所定のノイズの出力を抑制しつつ、トラッキングフィルタの制御電圧の制御が簡単化される。
【００１２】
第３の発明の放送受信機によれば、第１又は第２の発明の放送受信機において、バンド選択手段が選択をトラッキングフィルタ側から他バンド用フィルタ側へ切替えるのに先立ち、トラッキングフィルタ制御手段は、他バンド選択期間用制御電圧を探索して、トラッキングフィルタの制御電圧を、探索した他バンド選択期間用制御電圧へ切替える。
【００１３】
トラッキングフィルタ制御手段は、他バンド選択期間へ切替わる前に、切替えごとに他バンド選択期間用制御電圧を探索する。したがって、放送受信機が例えばカーラジオである場合、自動車の走行地域に関係なく、適切な他バンド選択期間用制御電圧にトラッキングフィルタに制御電圧を設定できる。
【００１４】
第４の発明の放送受信機によれば、第３の発明の放送受信機において、トラッキングフィルタ制御手段は、トラッキングフィルタの制御電圧を増大方向又は減少方向へ変化させつつ、検波段の自動利得制御部の利得を検出し、該利得の最大となったときのトラッキングフィルタの制御電圧を他バンド選択期間用制御電圧に設定する。
【００１５】
他バンド選択期間用制御電圧を探索する方法としては、その他に、通過帯域を増大又は減少方向へ走査しつつ、検波段のＳメータやＲＳＳＩ（ＲｅｃｅｉｖｅＳｉｇｎａｌ  Ｓｔｒｅｎｇｔｈ  Ｉｎｄｉｃａｔｉｏｎ）等により検出される電界強度が基準値以下になる通過帯域を探索し、該探索した通過帯域を他バンド選択期間用制御電圧に設定する方法もある。
【００１６】
第５の発明の制御方法が適用される放送受信機は、周波数が第１のバンドに含まれるＲＦ信号を通過させる第１バンド用フィルタ、第１バンド用フィルタの出力側に設けられ通過帯域を制御電圧に応じて変更されるトラッキングフィルタ、周波数が第１のバンドとは異なる他バンドに含まれるＲＦ信号を通過させる他バンド用フィルタ、及びトラッキングフィルタ側又は他バンド用フィルタ側を選択して検波段へ出力するバンド選択手段を有している。そして、該制御方法では、バンド選択手段が他バンド用フィルタ側を選択している期間（以下、該期間を「他バンド選択期間」と言う。）はトラッキングフィルタの出力ＲＦ信号のレベルが所定値以下になるようにトラッキングフィルタの制御電圧を制御する。
【００１７】
第６の発明の放送受信機の制御方法によれば、第５の発明の放送受信機の制御方法において、トラッキングフィルタの制御電圧は他バンド選択期間中、固定されている。
【００１８】
第７の発明の放送受信機の制御方法によれば、第５又は第６の発明の放送受信機の制御方法において、バンド選択手段が選択をトラッキングフィルタ側から他バンド用フィルタ側へ切替えるのに先立ち、他バンド選択期間用制御電圧を探索して、トラッキングフィルタの制御電圧を、探索した他バンド選択期間用制御電圧へ切替える。
【００１９】
第８の発明の放送受信機の制御方法によれば、第７の発明の放送受信機の制御方法において、トラッキングフィルタの制御電圧を増大方向又は減少方向へ変化させつつ、検波段の自動利得制御部の利得を検出し、該利得の最大となったときのトラッキングフィルタの制御電圧を他バンド選択期間用制御電圧に設定する。
【００２０】
【発明の実施の形態】
以下、発明の実施の形態について図面を参照して説明する。
図１はＤＡＢ用カーラジオ１０の主要部ブロック図である。バンドフィルタ装置１１は、ＤＡＢ放送局からのＤＡＢ電波を受けるアンテナ１２と、それぞれバンドIII及びＬバンドの受信信号を通過させるバンドIII用バンドフィルタ１３及びＬバンド用バンドフィルタ１４とを有している。なお、バンドIIIは、ＶＨＦ帯に属し、Ｌバンドは１．４ＧＨｚ近辺にある。トラッキングフィルタ１８は、制御電圧に関係して中心周波数を決められ、中心周波数に対して±所定範囲としての通過帯域をもつ。バンドIII用バンドフィルタ１３から出力されて来るＲＦ信号の内、トラッキングフィルタ１８に通過帯域に含まれるＲＦ信号のみがトラッキングフィルタ１８を通過する。増幅器１９はトラッキングフィルタ１８からのＲＦ信号を増幅して、バンド選択スイッチ２０へ出力する。ダウンコンバータ２１は、Ｌバンド用バンドフィルタ１４からのＲＦ信号を増幅する増幅器２２、及び増幅器２２の出力と発振器２４からの信号とを混合してバンド選択スイッチ２０へ出力するミキサ２３を有し、ＬバンドのＲＦ信号をバンドIIIのバンド内の周波数へ周波数降下させる。バンド選択スイッチ２０は、増幅器１９及びダウンコンバータ２１へそれぞれ接続されている入力端子と、これら入力端子の一方へ接続される出力端子とを有している。トラッキングフィルタ２８は、トラッキングフィルタ１８と同様に、通過を許容するＲＦ信号の通過帯域を限定する。バンドIIIのＤＡＢのＲＦ信号は、２個のトラッキングフィルタ１８，２８を通過することにより、検波装置２９へ到達するＲＦ信号の周波数帯域を一段と絞られる。
【００２１】
なお、図１の例では、バンドIII用バンドフィルタ１３はローパスフィルタから成り、Ｌバンド用バンドフィルタ１４はハイパスフィルタから成り、また、トラッキングフィルタ１８，２８はバンドパスフィルタから成っている。
【００２２】
検波装置２９はミキサ３０及び自動利得制御部３１を有し、ミキサ３０は、トラッキングフィルタ２８からのＲＦ信号とＶＣＯ（Ｖｏｌｔａｇｅ  Ｃｏｎｔｒｏｌｌｅｄ  Ｏｓｃｉｌｌａｔｏｒ：電圧制御発振器）３６の発振信号とを混合し、所定周波数のＩＦ（中間周波数）信号を生成する。自動利得制御部３１は、ミキサ３０の後段において所定レベルのＩＦ信号を生成するように、ＩＦ信号用の増幅器（図示せず）の利得を制御する。ＰＬＬ（Ｐｈａｓｅ  Ｌｏｃｋｅｄ  Ｌｏｏｐ）回路３５は、マイクロプロセッサ３４から指示された周波数の発振信号をＶＣＯ３６が出力するように、ＶＣＯ３６への制御電圧を制御する。マイクロプロセッサ３４は、ユーザの指示したラジオ放送に係るＲＦ信号が検波装置２９においてＩＦ信号へ変換されるように、周波数情報をＰＬＬ回路３５へ送る。ＰＬＬ回路３５は、ＶＣＯ３６の発振周波数を制御する電圧をＶＣＯ３６へ出力する。こうして、ユーザの選局したラジオ放送のＲＦ信号が検波装置２９において、ＩＦ信号へ変換される。マイクロプロセッサ３４は自動利得制御部３１の制御電圧に係る情報をＡＤＣ（Ａｎａｌｏｇ  Ｄｉｇｉｔａｌ  Ｃｏｎｖｅｒｔｅｒ：アナログ−ディジタル変換器）３７へ入力される。インターフェース部３９は、マイクロプロセッサ３４からの指示信号を入力されるディジタル信号入力部４０、トラッキングフィルタ１８，２８へそれらの中心周波数に係るアナログ制御電圧を出力するＤＡＣ（Ｄｉｇｉｔａｌ  Ａｎａｌｏｇ  Ｃｏｎｖｅｒｔｅｒ：ディジタル−アナログ変換器）４１，４２、バンドIII用電源４９及びＬバンド用電源５０への制御信号を出力する出力ポート４３，４４を有している。バンドIII用電源４９及びＬバンド用電源５０は、インターフェース部３９からの入力信号に基づいて増幅器１９及び増幅器２２への電力供給をオン、オフする。
【００２３】
ユーザによるバンドIIIのＤＡＢの選局中は、バンド選択スイッチ２０は増幅器１９側を選択している。また、トラッキングフィルタ１８の中心周波数は、それに対応する放送信号の周波数がトラッキングフィルタ１８の通過帯域に含まれるように、トラッキングフィルタ１８への制御電圧を介して制御される。他方、ユーザによるＬバンドのＤＡＢの選局中は、バンド選択スイッチ２０はダウンコンバータ２１側を選択している。こうして、ユーザにより選択されたＤＡＢに対応のＲＦ信号がバンド選択スイッチ２０、及びトラッキングフィルタ２８を介して検波装置２９へ送られる。トラッキングフィルタ２８から検波装置２９へ入力されてきたＲＦ信号は、ミキサ３０においてＶＣＯ３６からの発振信号と混合され、所定のＩＦ信号へ変換される。
【００２４】
図２はＤＡＢ用カーラジオ１０においてバンドIIIのＤＡＢからＬバンドのＤＡＢへ選局を切替えるときに実施される、トラッキングフィルタ１８の制御電圧処理に係るプログラムのフローチャートである。なお、トラッキングフィルタ１８への制御電圧はトラッキングフィルタ１８の中心周波数を変更するものであり、トラッキングフィルタ１８の通過帯域はトラッキングフィルタ１８の中心周波数を中心とする±所定量の範囲となっている。Ｓ６０では、切替え前のバンドIIIのＤＡＢを受信している。Ｓ６１では自動利得制御部３１におけるＡＧＣ（Ａｕｔｏ  Ｇａｉｎ  Ｃｏｎｔｒｏｌ）電圧を検出する。Ｓ６２では、Ｓ６１で検出したＡＧＣ電圧がその最大値以上になっているか否かを判定し、該判定がＹｅｓであれば、Ｓ６４へ進み、Ｎｏであるならば、Ｓ６３へ進む。トラッキングフィルタ１８の通過帯域がバンドIIIのいずれかのＤＡＢの受信周波数を含むように制御電圧がなっているときは、検波装置２９にはトラッキングフィルタ２８から十分に大きいレベルのＲＦ信号が入力されており、ＡＧＣ電圧は最大値には達せず、Ｓ６２の判定はＮｏとなる。これに対して、トラッキングフィルタ１８における通過信号の制御電圧がバンドIIIに属するいずれのＤＡＢの受信周波数も含まないときは、ＡＧＣ電圧は最大値になり、Ｓ６２の判定はＹｅｓとなる。Ｓ６３では、トラッキングフィルタ１８の中心周波数Ｘを所定量ΔＸだけ増加させて、Ｓ６１へ戻る。なお、トラッキングフィルタ１８の中心周波数の走査方向を増加方向ではなく、減少方向としているときは、Ｓ６３における処理はΔＸの増加ではなく、減少となる。こうして、ＡＧＣ電圧が所定値以上になるまで、すなわちトラッキングフィルタ１８の通過帯域がバンドIIIに属するいずれのＤＡＢの受信周波数も含まないものになるまで、Ｓ６１〜Ｓ６３が繰り返されて、トラッキングフィルタ１８の中心周波数が走査される。そして、ＡＧＣ電圧が所定値以上になるや、すなわちトラッキングフィルタ１８の通過帯域がバンドIIIに属するいずれのＤＡＢの受信周波数も含まないように、トラッキングフィルタ１８の中心周波数が到達するや、Ｓ６４へ進む。Ｓ６４では、トラッキングフィルタ１８の中心周波数を、Ｓ６１〜Ｓ６３のループから抜けてきた時の値Ｘに固定して、バンド選択スイッチ２０の入力側を増幅器１９からダウンコンバータ２１側へ切替える。こうして、Ｌバンド選択期間では、インターフェース部３９は、トラッキングフィルタ１８の中心周波数に関係するトラッキングフィルタ１８の通過帯域が、バンドIIIのどのＤＡＢの受信信号も含まない通過帯域となるように、トラッキングフィルタ１８への制御電圧を制御される。ＤＡＢ用カーラジオ１０を搭載する自動車が、Ｌバンド選択期間に、バンドIIIのＤＡＢのラジオ放送局近辺を走行して、バンドIIIの該ＤＡＢの受信信号の電界強度がたまたま増大しても、トラッキングフィルタ１８から出力されるＲＦ信号のレベルは所定値以下に維持され、Ｌバンド選択期間中のトラッキングフィルタ１８の出力レベル大に起因するスピーカからのノイズ発生は防止される。
【００２５】
図３は検波装置２９のＡＧＣ電圧に代えてＬバンド選択期間のトラッキングフィルタ１８の中心周波数を探索する場合の主要部ブロック図である。検波装置２９はＲＳＳＩ（Ｒｅｃｅｉｖｅ  Ｓｉｇｎａｌ  Ｓｔｒｅｎｇｔｈ  Ｉｎｄｉｃａｔｉｏｎ：受信信号強度）又はＳメータ６９を装備し、ＲＳＳＩ又はＳメータ６９はトラッキングフィルタ２８から入力されて来るＲＦ信号から対応のＤＡＢの受信信号のＲＳＳＩ又は電界強度を検出する。（ａ）前述のＡＧＣ電圧は、トラッキングフィルタ１８の通過帯域にバンドIIIのＤＡＢの受信信号が含まれているときに、小となるのに対して、（ｂ）ＲＳＳＩ及び電界強度は、トラッキングフィルタ１８の通過帯域にバンドIIIのＤＡＢの受信信号が含まれているときに、大となり、すなわち（ａ）と（ｂ）とでは、検出電圧の大小関係が逆となるので、ＲＳＳＩ又はＳメータ６９の出力は反転器７０を介してマイクロプロセッサ３４のＡＤＣ３７へ入力される。こうして、ＡＧＣ電圧に代えて、ＲＳＳＩ又はＳメータ６９の検出するＲＳＳＩ又は電界強度を使って、Ｌバンド選択期間にトラッキングフィルタ１８の出力レベルを十分に抑えることのできるトラッキングフィルタ１８の制御電圧を探索することができる。
【００２６】
図４は自動利得制御部３１のＡＧＣ電圧の検出値をマイクロプロセッサ３４のアナログ入力ポート７５へ入力するときの付加回路図である。比較器７３の反転入力端子には、分圧抵抗７６，７７を介して電源電圧Ｖｃｃとアース電圧との中間の基準電圧が印加され、比較器７３の非反転入力端子には自動利得制御部３１からのＡＧＣ電圧が入力される。基準電圧は、ＡＧＣ電圧の最大値より少し低い値に設定されている。これにより、比較器７３の出力は、ＡＧＣ電圧が基準電圧未満であるときは、低レベルであり、また、ＡＧＣ電圧が最大値付近に達すると、高レベルとなる。マイクロプロセッサ３４は、比較器７３の出力をアナログ入力ポート７５へ入力されて、この入力に基づいてトラッキングフィルタ１８の通過帯域がバンドIIIのＤＡＢの受信信号の周波数を含んでいるものなっているか否かを判断する。
【図面の簡単な説明】
【図１】ＤＡＢ用カーラジオの主要部ブロック図である。
【図２】ＤＡＢ用カーラジオにおいてバンドIIIのＤＡＢからＬバンドのＤＡＢへ選局を切替えるときに実施される、トラッキングフィルタの制御電圧処理に係るプログラムのフローチャートである。
【図３】検波装置のＡＧＣ電圧に代えてＬバンド選択期間のトラッキングフィルタの中心周波数を探索する場合の主要部ブロック図である。
【図４】自動利得制御部のＡＧＣ電圧の検出値をマイクロプロセッサのアナログ入力ポートへ入力するときの付加回路図である。
【図５】従来のＤＡＢ用カーラジオの主要部ブロック図である。
【符号の説明】
１０    ＤＡＢ用カーラジオ（放送受信機）
１３    バンドIII用バンドフィルタ（第１のバンド用フィルタ）
１４    Ｌバンド用バンドフィルタ（他バンド用フィルタ）
１８    トラッキングフィルタ
２０    バンド選択スイッチ（バンド選択手段）
３９    インターフェース部（トラッキングフィルタ制御手段）
【図１】
0003696112.tif 000002
【図２】
0003696112.tif 000003
【図３】
0003696112.tif 000004
【図４】
0003696112.tif 000005
【図５】
0003696112.tif 000006